(57)【要約】      （修正有）【課題】工具が非所望にバックカバーに当たっても制御用回路基板が損傷されにくい灯具を提供する。【解決手段】灯具１００は、バックカバー４の内面４ａに点灯制御用回路基板８が固着される。バックカバー４の外表面４ｂに、外部から回路基板８に伝わる衝撃を緩和するための緩衝手段５０を設けた。緩衝手段は外力により塑性変形可能な材料を用いる。例えば、垂直な多数の突起、断面が三角形状、更には、その先端部や中間部、基部の内部を薄肉とする。【選択図】図１
2005251499.tif 000002
【特許請求の範囲】
【請求項１】
バックカバーの内面に点灯制御用回路基板が固着される灯具であって、
前記バックカバーの外表面に、外部から前記回路基板に伝わる衝撃を緩和するための緩衝手段を設けたことを特徴とする灯具。
【請求項２】
前記緩衝手段は、外力により弾性変形可能に構成されることを特徴とする請求項１記載の灯具。
【請求項３】
前記緩衝手段は、外力により塑性変形可能に構成されることを特徴とする請求項１記載の灯具。
【請求項４】
前記緩衝手段は、前記バックカバー外表面に対して垂直な多数の突起により構成されることを特徴とする請求項１記載の灯具。
【請求項５】
前記突起は断面四角形状をしていることを特徴とする請求項４記載の灯具。
【請求項６】
前記突起は、前記バックカバー外表面から離れるにしたがって幅狭になる断面多段四角形状をしていることを特徴とする請求項４記載の灯具。
【請求項７】
前記突起は断面三角形状をしていることを特徴とする請求項４記載の灯具。
【請求項８】
前記突起の先端部は薄肉に構成されていることを特徴とする請求項４記載の灯具。
【請求項９】
前記突起の中間部は薄肉に構成されていることを特徴とする請求項４記載の灯具。
【請求項１０】
前記突起の基部は薄肉に構成されていることを特徴とする請求項４記載の灯具。
【請求項１１】
前記緩衝手段は、前記バックカバー外表面に固着された１枚のゴムシートであることを特徴とする請求項１記載の灯具。
【請求項１２】
前記緩衝手段は、前記バックカバー外表面に各々固着された複数枚のゴム板であることを特徴とする請求項１記載の灯具。
【請求項１３】
前記緩衝手段は、前記バックカバー外表面上に中空部を形成し、前記バックカバー外表面に向かって弾性変形又は塑性変形可能に構成されることを特徴とする請求項１記載の灯具。
【請求項１４】
前記緩衝手段は、一つ又は複数のＬ字状部材からなることを特徴とする請求項１３記載の灯具。
【請求項１５】
前記緩衝手段は、一組又は複数組からなる、互い対向する一対のＬ字状部材からなることを特徴とする請求項１３記載の灯具。
【請求項１６】
前記緩衝手段は、前記バックカバー外表面にローレット加工されたものであることを特徴とする請求項１記載の灯具。
【請求項１７】
前記回路基板は、セラミック基板であることを特徴とする請求項１乃至請求項１６のいずれか一つに記載の灯具。
【発明の詳細な説明】
【技術分野】
【０００１】
本発明は、車両用前照灯など灯具、詳しくは、点灯制御用回路基板を内蔵した灯具に関する。
【背景技術】
【０００２】
従来から、車両用前照灯など灯具として、メタルハライドランプなどバルブの点灯制御を行なう点灯制御用回路基板を灯具ハウジング内部に搭載することにより、灯具の小型化、高圧電線に起因するノイズ放射の防止などを図る灯具が提案されている。そして、この種の灯具として、デザインの自由度向上の見地から点灯制御用回路基板をバックカバーの内面（裏面）に固着する構成をとる灯具がある（例えば、特許文献１参照）。
【特許文献１】特開２００３−５１２１２公報（図５、図６）
【発明の開示】
【発明が解決しようとする課題】
【０００３】
しかし、上記のような従来の灯具によると、灯具の組立作業時、車両等への組付作業時あるいはメンテナンス時に、工具が非所望にバックカバーに当たり、制御用回路基板が損傷するおそれがある。
【０００４】
本発明は、上記のような従来技術の問題点を解決し、工具が非所望にバックカバーに当たっても制御用回路基板が損傷されにくい灯具を提供することを目的とする。
【課題を解決するための手段】
【０００５】
本発明の灯具は、バックカバーの内面に点灯制御用回路基板が固着される灯具であって、前記バックカバーの外表面に、外部から前記回路基板に伝わる衝撃を緩和するための緩衝手段を設けたことを特徴とする。この灯具によると、外部からの衝撃は緩衝手段によって緩和された上で回路基板に伝わるようになる。このため、回路基板は損傷されにくくなる。
【０００６】
ここで、前記緩衝手段は、外力により弾性変形可能に構成され、又は、外力により塑性変形可能に構成される。弾性変形は衝撃を吸収する作用を果たし、一方、塑性変形は外力を逃すことによって衝撃を伝えにくくする作用を果たす。
【０００７】
前記緩衝手段は、前記バックカバー外表面に対して垂直な多数の突起により構成される。
【０００８】
前記突起は、断面四角形状、又は、前記バックカバー外表面から離れるにしたがって幅狭になる断面多段四角形状、又は、断面三角形状をしている。
【０００９】
前記突起の先端部又は中間部又は基部は薄肉に構成されている。
【００１０】
前記緩衝手段は、前記バックカバー外表面に固着された１枚のゴムシート、又は、前記バックカバー外表面に各々固着された複数枚のゴム板である。
【００１１】
前記緩衝手段は、前記バックカバー外表面上に中空部を形成し、前記バックカバー外表面に向かって弾性変形又は塑性変形可能に構成される。
【００１２】
前記緩衝手段は、一つ又は複数のＬ字状部材、又は、一組又は複数組からなる、互い対向する一対のＬ字状部材からなる。
【００１３】
前記緩衝手段は、前記バックカバー外表面にローレット加工されたものである。
【００１４】
前記回路基板は、セラミック基板である。
【発明を実施するための最良の形態】
【００１５】
以下、本発明の実施形態を図面に基づいて説明する。
【００１６】
図１〜図１０は、それぞれ本発明の実施形態に係る灯具の構成を示す。
【００１７】
図１〜図１０において、灯具１００は、灯具ハウジング１の内部にメタルハライドランプなどバルブ２を内蔵している。灯具ハウジング１は、正面に透光性レンズ３を一体的に有し、後面開口部はバックカバー４で塞がれている。バルブ２の後方には、バルブ２の発光をレンズ３の方向へ反射するリフレクタ５が配されている。リフレクタ５の裏面（後面）には、バルブ２を保持するホルダ６が取り付けられている。バルブ２の前方には、バルブ２による前方への照射光を部分的に遮断するシェード７が配されている。
【００１８】
バックカバー４の内面（裏面）４ａには、バルブ２の点灯制御を行なう点灯制御用回路基板８が固着されている。回路基板８は、灯具ハウジング１に配設されたコネクタ９を介して外部の電源に電気的に接続されるとともに、高圧ワイヤ１０及び高圧コネクタ１１を介してバルブ２に電気的に接続されている。回路基板８は、ハイブリッドＩＣ基板からなり、図示しないが、バックカバー内面４ａに接着剤によって固着されるセラミック基板に、ＤＣ−ＤＣコンバータ、インバータ、始動コイル、制御回路などを実装して構成される。
【００１９】
バックカバー４の外表面４ｂには、図１〜図１０に各々示すような緩衝手段５０が設けられている。緩衝手段５０は、外力により弾性変形可能に構成され、又は、外力により塑性変形可能に構成される。弾性変形は衝撃を吸収する作用を果たし、一方、塑性変形は外力を逃すことによって衝撃を伝えにくくする作用を果たす。
【００２０】
図１〜図５に各々示す緩衝手段５０は、バックカバー外表面４ｂに対して垂直な多数の突起５１，５２，５３，５４，５５により構成される。
【００２１】
図１（Ａ）図示の突起５１は、図１（Ａ）の要部拡大図である図１（Ｂ）に示すように、断面四角形状をしている。この突起５１は、バックカバー外表面４ｂに接着剤などにより直接的に固着されたゴム材、あるいは、バックカバー外表面に沿って固着されるゴムシートに一体成形されてなり、弾性変形可能である。
【００２２】
図２（Ａ）図示の突起５２は、図２（Ａ）の要部拡大図である図２（Ｂ）に示すように、バックカバー外表面から離れるにしたがって幅狭になる断面多段四角形状をしている。この突起５２は、図１図示の突起５１と同様、バックカバー外表面４ｂに接着剤などにより直接的に固着されたゴム材、あるいは、バックカバー外表面４ｂに沿って固着されるゴムシートに一体成形されてなる。この突起５２は、先端に向かうにしたがって薄肉となり、先端部５２ａはより弾性変形し易い。
【００２３】
図３（Ａ）図示の突起５３は、図３（Ａ）の要部拡大図である図３（Ｂ）に示すように、断面三角形状をしている。この突起５３は、図１、図２図示の突起５１，５２と同様、バックカバー外表面４ｂに接着剤などにより直接的に固着されたゴム材、あるいは、バックカバー外表面４ｂに沿って固着されるゴムシートに一体成形されてなり、弾性変形可能である。
【００２４】
図４（Ａ）図示の突起５４は、図４（Ａ）の要部拡大図である図４（Ｂ）に示すように、中間部５４ａが薄肉に構成されている。この突起５４は、外力を受けたとき薄肉部５４ａを起点として塑性変形可能に構成されている。なお、この突起５４は、塑性変形せず弾性変形するものであってもよく、この場合、薄肉部５４ａを支点とする弾性変形が行われる。
【００２５】
図５（Ａ）図示の突起５５は、図５（Ａ）の要部拡大図である図５（Ｂ）に示すように、基部５５ａが薄肉に構成されている。この突起５５は、外力を受けたとき薄肉部５５ａを起点として塑性変形可能に構成されている。なお、この突起５５は、塑性変形せず弾性変形するものであってもよく、この場合、薄肉部５５ａを支点とする弾性変形が行われる。
【００２６】
図６に示す緩衝手段５０は、バックカバー外表面４ｂに固着された１枚のゴムシート５６である。このゴムシート５６は、外力により弾性変形し衝撃を吸収する。
【００２７】
図７に示す緩衝手段５０は、バックカバー外表面４ｂに各々固着された複数枚のゴム板５７である。このゴム板５７は、外力に弾性変形し衝撃を吸収する。
【００２８】
図８及び図９に示す緩衝手段５０は、バックカバー外表面４ｂ上に中空部７１，７２を形成し、バックカバー外表面４ｂに向かって弾性変形又は塑性変形可能に構成される。
【００２９】
図８（Ａ）に示す緩衝手段５０は、図８（Ａ）の要部拡大図である図８（Ｂ）に示すように、Ｌ字状部材５８からなる。Ｌ字状部材５８は、一つからなるものであってもよいし、複数からなるものであってもよい。Ｌ字状部材５８は、バックカバー外表面４ｂの一端部４ｃから垂直に延びた基部５８ａと、基部５８ａからバックカバー外表面４ｂと平行に、一端部４ｃと対向する他端部４ｄまで延びた変形部５８ｂとにより構成され、基部５８ａと変形部５８ｂとバックカバー外表面４ｂとで中空部７１を形成する。このＬ字状部材５８は、外力を受けると変形部５８ｂが弾性変形又は塑性変形するよう構成されている。
【００３０】
図９（Ａ）に示す緩衝手段５０は、図９（Ａ）の要部拡大図である図９（Ｂ）に示すように、互いに対向する一対のＬ字状部材５９Ａ，５９Ｂを備えて構成される。一対のＬ字状部材５９Ａ，５９Ｂは、一組又は複数組からなる。一対のＬ字状部材５９Ａ，５９Ｂのうち一方のＬ字状部材５９Ａは、バックカバー外表面４ｂの一端部４ｃから垂直に延びた基部５９Ａａと、基部５９Ａａからバックカバー外表面４ｂと平行に、バックカバー外表面４ｂの中央部上方まで延びた変形部５９Ａｂとにより構成され、かつ、他方のＬ字状部材５９Ｂは、バックカバー外表面４ｂにおける上記一端部４ｃと対向する他端部４ｄから垂直に延びた基部５９Ｂａと、基部５９Ｂａからバックカバー外表面４ｂと平行に、バックカバー外表面４ｂの中央部上方まで延びた変形部５９Ｂｂとにより構成される。一対のＬ字状部材５９Ａ，５９Ｂとバックカバー外表面４ｂとで中空部７２を形成する。各Ｌ字状部材５９Ａ，５９Ｂは、外力を受けると変形部５９Ａｂ，５９Ｂｂが弾性変形又は塑性変形するよう構成されている。
【００３１】
図１０（Ａ）に示す緩衝手段５０は、図１０（Ａ）の要部拡大図である図１０（Ｂ）に示すように、バックカバー外表面４ｂにローレット加工されたものである。この緩衝手段５０は、外力を受けると、塑性変形可能に構成されている。
【００３２】
以上説明したように、本発明の各実施形態に係る灯具１００は、バックカバー４の内面４ａに点灯制御用回路基板８が固着される灯具であって、バックカバー４の外表面４ｂに、外部から回路基板８に伝わる衝撃を緩和するための緩衝手段５０を設けている。この灯具１００によると、外部からの衝撃は緩衝手段５０によって緩和された上で回路基板８に伝わるようになる。このため、回路基板８は損傷されにくくなる。
【００３３】
尚、本発明は基板の材質、寸法を限定するものではなく、例えば、基板材質としてベークライト基板、ガラスエポキシ基板、アルミナなどのセラミック基板が考えられるが、特に衝撃強度の低いアルミナなどのセラミック基板の場合に有効である。
【図面の簡単な説明】
【００３４】
【図１】本発明の一実施形態に係る灯具の構成図及び要部拡大図である。
【図２】本発明の他の実施形態に係る灯具の構成図及び要部拡大図である。
【図３】本発明の他の実施形態に係る灯具の構成図及び要部拡大図である。
【図４】本発明の他の実施形態に係る灯具の構成図及び要部拡大図である。
【図５】本発明の他の実施形態に係る灯具の構成図及び要部拡大図である。
【図６】本発明の他の実施形態に係る灯具の構成図である。
【図７】本発明の他の実施形態に係る灯具の構成図である。
【図８】本発明の他の実施形態に係る灯具の構成図及び要部拡大図である。
【図９】本発明の他の実施形態に係る灯具の構成図及び要部拡大図である。
【図１０】本発明の他の実施形態に係る灯具の構成図及び要部拡大図である。
【符号の説明】
【００３５】
４    バックカバー
４ａ    内面
４ｂ    外表面
８    点灯制御用回路基板
５０    緩衝手段
５１〜５５    突起
５２ａ  先端部
５４ａ  中間部
５５ａ  基部
５６    ゴムシート
５７    ゴム板
５８，５９Ａ，５９Ｂ    Ｌ字状部材
７１，７２    中空部
１００    灯具
【図１】
2005251499.tif 000003
【図２】
2005251499.tif 000004
【図３】
2005251499.tif 000005
【図４】
2005251499.tif 000006
【図５】
2005251499.tif 000007
【図６】
2005251499.tif 000008
【図７】
2005251499.tif 000009
【図８】
2005251499.tif 000010
【図９】
2005251499.tif 000011
【図１０】
2005251499.tif 000012